(57)【要約】【課題】吊り板を板面と左右対称に開く方向の力および板面と垂直な上下に捻る方向の力に対する強度をより強化させた吊り板を有する洗濯機を提供する。【解決手段】外箱１内にその四隅から吊下げ手段６によって水槽３を吊下げ、底部に攪拌翼を配設した洗濯兼脱水槽を水槽内に配設し、洗濯兼脱水槽の下方にギヤ、クラッチなどの機構を介してモータ４を配設する。吊り下げ手段６の吊り棒５は、水槽３を支持する。吊り板１１とは、吊り棒５を吊り下げ保持する。フランジ６１の一方の辺は外箱１の少なくとも２隅を構成する２辺に沿って水平に設けられている。吊り板１１は、板面に垂直方向に一方の面が凸部で他方の面が凹部となる絞り形状を複数段有し、この内の少なくとも１段の絞り形状の側面をフランジ６１の他方の辺に当接させている。【選択図】図３
2008167894.tif 000002
【特許請求の範囲】
【請求項１】
外箱と、
この外箱に収容される水槽と、
前記の外箱に設けられ、前記水槽を吊り下げる吊り下げ手段と、を備えた洗濯機において、
前記吊り下げ手段は、
前記水槽を支持する吊り棒と、
この吊り棒を吊り下げ保持する吊り板と、
この吊り板に対応して設けられ、一方の辺が前記外箱上部の少なくとも２隅に水平に設けられ、内側に向いた略湾曲状の開口部を有するフランジと、を備え、
前記吊り板は、板面に垂直方向に一方の面が凸部で他方の面が凹部となる絞り形状を複数段有することを特徴とする洗濯機。
【請求項２】
前記吊り板の少なくとも１段の絞り形状の側面を前記フランジの略湾曲部の側面に当接させたことを特徴とする請求項１記載の洗濯機。
【請求項３】
前記吊り板は略多角形の絞り形状を有し、
前記フランジは、前記略多角形の少なくとも２辺に当接するように形成された湾曲部を有することを特徴とする請求項１または請求項２に記載の洗濯機。
【請求項４】
前記吊り板は略楕円形の絞り形状を有し、
前記フランジは、前記吊り板の略楕円形の少なくとも所定の部分に当接するように形成された湾曲部を有することを特徴とする請求項１または請求項２に記載の洗濯機。
【請求項５】
前記吊り板は、前記吊り棒を通す第１の挿通孔と、この吊り板の回転防止用ストッパーを通す第２の挿通孔を有することを特徴とする請求項１〜４のいずれかに記載の洗濯機。
【請求項６】
前記吊り板は、第１の挿通孔と連通する吊り棒挿通用の溝を有し、
前記フランジは、前記吊り板の前記吊り棒挿通用溝を含む外周に当接するように形成された部分を有することを特徴とする請求項５に記載の洗濯機。
【発明の詳細な説明】
【技術分野】
【０００１】
本発明は、洗濯機に関するものであり、特に水槽の支持手段の一部を構成する吊り板に関するものである。
【背景技術】
【０００２】
一般に、洗濯機は外箱内にその四隅から吊り下げ手段によって水槽を吊り下げ、底部に攪拌翼を配設した洗濯兼脱水槽を上記水槽内に配設し、洗濯兼脱水槽の下方にギヤ、クラッチなどの機構を介してモータを配設したもので、外箱の上部の四隅部から、吊り棒を主体とする吊り下げ手段によって水槽が吊持されており、この槽体の内部に、洗濯槽と脱水槽とを兼ねる内槽が配設されている。
【０００３】
特許文献１に示される従来の洗濯機において、外箱の上部の四隅にそれぞれ設けられ、水槽の支持手段の一部を構成する吊り板は、略三角形の金属板を板金加工及びプレス加工により球面凹部を形成し、この球面凹部の中心部に吊り棒の挿通孔を形成し、さらに板の一端からこの挿通孔に連通する吊り棒挿通溝を形成し、吊り板の周囲に板面に垂直な方向に強度を高めるための絞り形状を１段設けたものが知られている。
【特許文献１】特開２０００−２３７４９１号公報（図１２及び図１３）
【発明の開示】
【発明が解決しようとする課題】
【０００４】
上記特許文献１で示される従来の洗濯機では、略三角形の吊り板の面と垂直方向に吊り板を外力に対向して補強するための絞りが１段しか設けられていないため、吊り棒挿入孔を中心として吊り板を板面と左右対称に開く方向の力および板面と垂直な上下に捻る方向の力に対して弱く、破壊されることがあるという問題があった。
【０００５】
また、吊り板をネジで外箱に設けられたフランジに取り付ける際、フランジのネジ取付け孔と吊り板のネジ取付け孔とを合わせなくてはならず、作業が煩雑であった。
【０００６】
本発明は上記の課題を解決するために為されたものであり、主たる目的は、吊り板を板面と左右対称に開く方向の力および板面と垂直な上下に捻る方向の力に対する強度をより強化させた吊り板を提供することにある。
【課題を解決するための手段】
【０００７】
本発明は、外箱と、外箱に収容される水槽と、外箱に設けられ、水槽を吊り下げる吊り下げ手段と、を備え、吊り下げ手段は、水槽を支持する吊り棒と、吊り棒を吊り下げ保持する吊り板と、吊り板に対応して設けられ、一方の辺が前記外箱上部の少なくとも２隅に水平に設けられ、内側に向いた略湾曲状の開口部を有するフランジと、を備え、吊り板は、板面に垂直方向に一方の面が凸部で他方の面が凹部となる絞り形状を複数段有することを特徴とする。
【発明の効果】
【０００８】
吊り板は、板面に垂直方向に一方の面が凸部で他方の面が凹部となる絞り形状を複数段有するので、吊り板を板面と左右対称に開く方向の力および板面と垂直な上下に捻る方向の力に対する強度がその分増加する。
【０００９】
また、少なくとも１段の絞り形状の側面を上記フランジの他方の辺に当接させるように構成したので、吊り板の側面をフランジの辺に当接させるだけで自動的に吊り板のネジ孔とフランジのネジ孔の位置合わせが行われるので、ネジ取付け作業が極めて容易になる。
【発明を実施するための最良の形態】
【００１０】
実施の形態１．
以下、図面について本発明の実施形態を詳細に説明する。図１は本発明の洗濯機の実施形態１を示す側面側の説明図、図２は同上平面側の説明図、図３は図２における吊り板の外観図、図４はその裏面を示す外観図、図５は吊り板を外箱に取り付けた状態を示す外観図、図６はその拡大図、図７はさらに取付状況を分かりやすく示した説明図である。
洗濯機は外箱１内の４隅または２隅（この場合には、水槽の一方の辺をヒンジなどにより水槽が傾斜自在に固定しておく）から吊り下げ手段６によって水槽３を吊り下げ、図示は省略するが底部に攪拌翼を配設した洗濯兼脱水槽を上記水槽内に配設し、洗濯兼脱水槽の下方にギヤ、クラッチなどの機構を介してモータ４を配設している。また、上記吊り下げ手段６として、下部に防振部分７を組み込んだ吊り棒５の上部に雄ネジ８を有する外周ネジ管を吊り棒５本体に披嵌して形成し、この雄ネジ８の部分を駆動部９で回転する雌ネジ回転体１０にネジ込んで吊り下げ長さを自動調整可能にしている。
【００１１】
上記吊り下げ手段６の一部を構成する吊り板１１として、吊り板１１には、図３に示すように、板面に垂直方向に一方の面が凸部で他方の面が凹部となる絞り形状Ａ  ３１と絞り形状Ｂ  ３２を形成して、吊り板を板面と左右対称に開く方向の力および板面と垂直な上下に捻る方向の力に対する強度を強化している。また、図３に示すように、略方形状の板に吊り棒５を挿通するための挿通孔３３を形成し、さらに吊り板の一端からこの挿通孔３３に連通する吊り棒用挿入溝３４を形成した。また、洗濯機の運転中にこの吊り板１１が不要な回転をしないように図示しないストッパを挿通するストッパ挿通孔３５を形成している。さらに、図４に示すように吊り棒の挿通孔には絞り形状Ｃ  ４１を形成して、吊り板１１を板面と左右対称に開く方向の力に対する強度を強化している。
【００１２】
また、図５〜図７に示すように、吊り板１１を外箱１に取り付ける際に、吊り板１１の絞り形状Ｂ  ３２の側面と外箱１に設けられたフランジ６１の辺とが当接させると、吊り板１１のネジ孔とフランジ６１のネジ孔がすべて合うように構成した。これにより、吊り板１１を外箱１に取り付ける際の位置合わせが不要になり、作業の効率化を大幅に図ることができる。
【００１３】
実施の形態２．
図８はこの発明の実施の形態２における吊り板の取付け状況を示す外観図である。
図８において、実施の形態１と同じ部分についての説明を省略し、異なる部分について説明する。実施の形態１では、吊り棒挿通孔３３と連通する吊り棒挿通溝３４は開口側に向いて設けられていたが、この実施の形態２では、開口側でなく、反対側に向いて設けられている。
これにより、吊り棒挿通溝３４はフランジ６１の辺に当接するので板面に平行な左右方向に開く力に対しては、強力な対抗力を有し、左右に閉じる方向に対しては、吊り棒挿通溝３４はフランジにより保護されるため、十分な対抗力を持つ。従って、実施の形態１に比べて板面方向の開く力及び閉じる力に対して格段に強力な対抗力を有する。
なお、吊り棒５と吊り板１１の取付け方は、まず、吊り棒５を吊り板１１の吊り棒挿通溝３４を介して吊り棒挿通孔３３に挿通し、その後、吊り板１１を、吊り棒挿通溝を外箱に向いた状態でフランジ６１の辺に当接するように取り付ける。
これにより、実施の形態１の効果に加え、吊り板を板面と左右対称に開く方向の力および板面と垂直な上下に捻る方向の力に対する強度がより強化する。
【図面の簡単な説明】
【００１４】
【図１】本発明の洗濯機の実施形態１を示す側面側の説明図（側面図）である。
【図２】本発明の洗濯機の実施形態１を示す平面側の説明図（平面図）である。
【図３】本発明の洗濯機の要部である吊り板の外観図である。
【図４】図３の吊り板の裏面外観図である。
【図５】吊り板を外箱に取り付けた状況を示す外観図である。
【図６】吊り板を外箱に取り付けた状況を拡大して示す外観図である。
【図７】吊り板を外箱のフランジに取り付ける状況を示す説明図である。
【図８】本発明の洗濯機の実施形態２における吊り板の取付け状況を示す外観図である。
【符号の説明】
【００１５】
１  外箱、２  支持板、３  水槽、４  モータ、５  吊り棒、６  吊り下げ手段、７  防振部分、８  雄ネジ、９  駆動ユニット（アクチュエーター）、１０  雌ネジ回転体、１１  吊り板、１２  フランジ、３１  絞り形状Ａ、３２  絞り形状Ｂ、３３  吊り棒用挿通孔、３４  吊り棒挿通溝、３５  ストッパ用挿通孔、４１  絞り形状Ｃ、６１  フランジ。
【図１】
2008167894.tif 000003
【図２】
2008167894.tif 000004
【図３】
2008167894.tif 000005
【図４】
2008167894.tif 000006
【図５】
2008167894.tif 000007
【図６】
2008167894.tif 000008
【図７】
2008167894.tif 000009
【図８】
2008167894.tif 000010